(57)【要約】【課題】使用頻度の高いメニュー項目だけでなく、使用頻度が高くないメニュー項目をも容易に選択可能にする。【解決手段】複数のメニュー項目を有するメニューを表示する携帯端末装置であって、メニュー項目が選択された回数をカウントするカウント手段と、カウント手段がカウントした回数に基づいて、メニュー項目の表示位置を決定する表示位置決定手段と、表示位置決定手段が決定したメニュー項目の表示位置を示す情報に基づいて、メニューを表示させる制御を実行する表示制御手段とを備え、表示位置決定手段は、選択された回数が少なくなるに従って、対応するメニュー項目を、画面の中央から両端部に向かって、一方の端部の側と他方の端部の側とに交互に配置する。【選択図】図１
2009187089.tif 000002
【特許請求の範囲】
【請求項１】
複数のメニュー項目を有するメニューを表示する携帯端末装置であって、
メニュー項目が選択された回数をカウントするカウント手段と、
前記カウント手段がカウントした回数に基づいて、メニュー項目の表示位置を決定する表示位置決定手段と、
前記表示位置決定手段が決定したメニュー項目の表示位置を示す情報に基づいて、メニューを表示させる制御を実行する表示制御手段とを備え、
前記表示位置決定手段は、選択された回数が少なくなるに従って、対応するメニュー項目を、画面の中央から両端部に向かって、一方の端部の側と他方の端部の側とに交互に配置する
ことを特徴とする携帯端末装置。
【請求項２】
表示制御手段は、選択された回数が最も高いメニュー項目にフォーカスを設定してメニューを表示させる請求項１記載の携帯端末装置。
【請求項３】
メニュー項目と当該メニュー項目が選択された回数を示す回数情報とを対応付けて記憶する記憶手段を備え、
カウント手段は、メニュー項目が選択された場合に、前記記憶手段が記憶する選択されたメニュー項目に対応する回数情報を更新し、
表示位置決定手段は、前記記憶手段が記憶する回数情報に基づいて、メニューを表示させる制御を実行する
請求項１または請求項２記載の携帯端末装置。
【請求項４】
表示位置決定手段は、カウント手段がカウントした回数が含まれる範囲に応じて、メニュー項目の表示順序を決定する請求項１から請求項３のうちのいずれか１項に記載の携帯端末装置。
【請求項５】
携帯端末装置は携帯電話機である請求項１から請求項４のうちのいずれか１項に記載の携帯端末装置。
【請求項６】
複数のメニュー項目を有するメニューを表示する携帯端末装置におけるメニュー表示方法であって、
メニュー項目が選択された回数をカウントするカウントステップと、
前記カウントステップでカウントした回数に基づいて、メニュー項目の表示位置を決定する表示位置決定ステップと、
前記表示位置決定ステップで決定したメニュー項目の表示位置を示す情報に基づいて、メニューを表示させる制御を実行する表示制御ステップとを含み、
前記表示位置決定ステップで、選択された回数が少なくなるに従って、対応するメニュー項目を、画面の中央から両端部に向かって、一方の端部の側と他方の端部の側とに交互に配置する
ことを特徴とする携帯端末装置におけるメニュー表示方法。
【請求項７】
表示制御ステップで、選択された回数が最も高いメニュー項目にフォーカスを設定してメニューを表示させる請求項６記載の携帯端末装置におけるメニュー表示方法。
【請求項８】
複数のメニュー項目を有するメニューを表示するための携帯端末装置におけるメニュー表示プログラムであって、
コンピュータに、
メニュー項目が選択された回数をカウントするカウント処理と、
前記カウント処理でカウントした回数に基づいて、メニュー項目の表示位置を決定する表示位置決定処理と、
前記表示位置決定処理で決定したメニュー項目の表示位置を示す情報に基づいて、メニューを表示させる制御を実行する表示制御処理とを実行させ、
前記表示位置決定処理で、選択された回数が少なくなるに従って、対応するメニュー項目を、画面の中央から両端部に向かって、一方の端部の側と他方の端部の側とに交互に配置する処理を実行させるための
携帯端末装置におけるメニュー表示プログラム。
【請求項９】
コンピュータに、
表示制御処理で、選択された回数が最も高いメニュー項目にフォーカスを設定してメニューを表示させる処理を実行させるための
請求項８記載の携帯端末装置におけるメニュー表示プログラム。
【発明の詳細な説明】
【技術分野】
【０００１】
本発明は、メニューを表示する携帯端末装置、携帯端末装置におけるメニュー表示方法および携帯端末装置におけるメニュー表示プログラムに関する。
【背景技術】
【０００２】
携帯電話機等の携帯端末装置には様々な機能が搭載されているが、ユーザが使いたい機能や使うことができる機能と、使わない機能とにはっきりと分かれることが多い。また、携帯電話機の多機能化に伴い、メニュー画面におけるメニュー項目の数が膨大になってきている。そのため、ユーザがよく使う機能について、操作性を向上させることが重要な課題となっている。例えば、１つのボタンを所定の時間押下し続けること（長押し）によって別の動作を起動したり、番号を入力することによって対応するアプリケーションを起動することができる携帯電話機が広く利用されている。
【０００３】
使用頻度の高い機能等を手間無く素早く立ち上げたり、よく電話をかける相手に対して簡単に発信したりする等の操作性を向上することが可能な携帯電話機が提案されている（例えば、特許文献１参照）。特許文献１には、携帯電話機にジェスチャーボタンを配置し、ジェスチャーボタンを押しながら所定のジェスチャー操作を行うことにより、対応するアプリケーションを起動することが記載されている。特許文献１に記載された方式によれば、使用頻度の高い機能等を手間無く素早く立ち上げ、操作性を向上させることができる。
【０００４】
また、利用回数の多い利用設定の変更や状態確認については、メニュー番号を覚えていなくても、迅速かつ容易に行うことが可能な移動無線端末装置が提案されている（例えば、特許文献２参照）。特許文献２には、過去にユーザが項目を選択した回数の多い順序で、項目表示を行うことが記載されている。
【０００５】
【特許文献１】特開２００６−２４４０３８号公報
【特許文献２】特開２０００−２８７２６２号公報
【発明の開示】
【発明が解決しようとする課題】
【０００６】
特許文献１に記載された方式は、ユーザが日頃頻繁に使用する機能であれば、簡単にアプリケーションや機能を起動させることができて便利である。一方、ジェスチャー登録して定期的にジェスチャー操作を活用しないと、ユーザは、ジェスチャー操作と起動される機能との対応付けを忘れてしまう可能性がある。
【０００７】
ボタンを長押ししたり、番号を入力することによってアプリケーションを起動する場合も、ユーザが記憶することができる範囲でしか活用することができない。
【０００８】
また、特許文献２に記載された方式では、過去の利用回数の多い順序でメニューが表示されるため、メニュー番号を覚えていなくても、利用回数の多いメニューを容易に選択することができる。しかし、利用回数がそれほど多くはないメニューを選択したい場合、ユーザは、複数回ボタン操作を行わなければならないため、不便である。
【０００９】
そこで、本発明は、使用頻度の高いメニュー項目だけでなく、使用頻度が高くないメニュー項目をも少ない操作で選択可能な携帯端末装置、携帯端末装置におけるメニュー表示方法および携帯端末装置におけるメニュー表示プログラムを提供することを目的とする。
【課題を解決するための手段】
【００１０】
本発明による携帯端末装置は、複数のメニュー項目を有するメニューを表示する携帯端末装置であって、メニュー項目が選択された回数をカウントするカウント手段と、前記カウント手段がカウントした回数に基づいて、メニュー項目の表示位置を決定する表示位置決定手段と、前記表示位置決定手段が決定したメニュー項目の表示位置を示す情報に基づいて、メニューを表示させる制御を実行する表示制御手段とを備え、前記表示位置決定手段は、選択された回数が少なくなるに従って、対応するメニュー項目を、画面の中央から両端部に向かって、一方の端部の側と他方の端部の側とに交互に配置することを特徴とする。
【００１１】
本発明による携帯端末装置におけるメニュー表示方法は、複数のメニュー項目を有するメニューを表示する携帯端末装置におけるメニュー表示方法であって、メニュー項目が選択された回数をカウントするカウントステップと、前記カウントステップでカウントした回数に基づいて、メニュー項目の表示位置を決定する表示位置決定ステップと、前記表示位置決定ステップで決定したメニュー項目の表示位置を示す情報に基づいて、メニューを表示させる制御を実行する表示制御ステップとを含み、前記表示位置決定ステップで、選択された回数が少なくなるに従って、対応するメニュー項目を、画面の中央から両端部に向かって、一方の端部の側と他方の端部の側とに交互に配置することを特徴とする。
【００１２】
本発明による携帯端末装置におけるメニュー表示プログラムは、複数のメニュー項目を有するメニューを表示するための携帯端末装置におけるメニュー表示プログラムであって、コンピュータに、メニュー項目が選択された回数をカウントするカウント処理と、前記カウント処理でカウントした回数に基づいて、メニュー項目の表示位置を決定する表示位置決定処理と、前記表示位置決定処理で決定したメニュー項目の表示位置を示す情報に基づいて、メニューを表示させる制御を実行する表示制御処理とを実行させ、前記表示位置決定処理で、選択された回数が少なくなるに従って、対応するメニュー項目を、画面の中央から両端部に向かって、一方の端部の側と他方の端部の側とに交互に配置する処理を実行させることを特徴とする。
【発明の効果】
【００１３】
本発明によれば、使用頻度の高いメニュー項目だけでなく、使用頻度が高くないメニュー項目をも少ない操作で選択することができるという効果がある。
【発明を実施するための最良の形態】
【００１４】
まず、本発明の概要について図面を参照して説明する。図１は、本発明による携帯端末装置の最小の構成例を示すブロック図である。図１に例示する携帯端末装置は、カウント手段１と、表示位置決定手段２と、表示制御手段３とを備える。
【００１５】
携帯端末装置は、複数のメニュー項目を有するメニューを表示する。
【００１６】
カウント手段１は、メニュー項目が選択された回数をカウントする。
【００１７】
表示位置決定手段２は、カウント手段１がカウントした回数に基づいて、メニュー項目の表示位置を決定する。表示位置決定手段２は、選択された回数が少なくなるに従って、対応するメニュー項目を、画面の中央から両端部に向かって、一方の端部の側と他方の端部の側とに交互に配置する。
【００１８】
表示制御手段３は、表示位置決定手段２が決定したメニュー項目の表示位置を示す情報に基づいて、メニューを表示させる制御を実行する。
【００１９】
図１に示すように構成すれば、使用頻度の高いメニュー項目だけでなく、使用頻度が高くないメニュー項目をも少ない操作で選択することができる。
【００２０】
以下、本発明の実施形態を図面を参照して説明する。図２は、本発明による携帯端末装置の構成例を示すブロック図である。以下、携帯端末装置が携帯電話機である場合を例にして説明する。
【００２１】
図２に示す携帯電話機１００は、制御部１０と、記憶部２０と、操作部３０と、表示部４０と、無線部５０と、スピーカ６０と、マイクロフォン７０とを備える。
【００２２】
制御部１０は、具体的には、プログラムにしたがって動作するＣＰＵで実現され、携帯電話機１００の各部を制御する。本実施形態において、制御部１０は、記憶部２０が記憶する画面情報に基づいて、メニュー画面を表示部４０に表示させるための制御を行う。
【００２３】
記憶部２０は、制御部１０が実行する制御プログラム等の各種のデータを記憶する。本実施形態において、記憶部２０は、メニュー画面を表示するための画面情報をあらかじめ記憶する。
【００２４】
画面情報は、メニュー画面毎の情報であって、例えば、メニュー画面において選択可能な機能を示す「メニュー項目」と、そのメニュー項目が選択された回数を示す「ユーザ使用回数」とを含む情報である。メニューが階層構造を有する場合、画面情報は、例えば、各階層における各メニュー画面毎の情報である。
【００２５】
操作部３０は、情報を入力するための複数のキーを有し、入力された情報を制御部１０に出力する。
【００２６】
表示部４０は、例えば液晶表示装置や有機ＥＬ（Ｅｌｅｃｔｒｏｌｕｍｉｎｅｓｃｅｎｃｅ）ディスプレイ装置等のディスプレイ装置によって実現され、情報を表示する。表示部４０は、例えば、待ち受け画面やメニュー画面などを表示する。
【００２７】
無線部５０は、アンテナ５１を介して移動通信網の基地局と無線通信を行う。具体的には、無線部５０は、アンテナ５１を介して受信した無線信号を復調する処理や、制御部１０から出力された信号を変調してアンテナ５１を介して送信する処理を行う。
【００２８】
スピーカ６０は、通話を行うための受話音声出力装置であり、マイクロフォン７０は、通話を行うための音声入力装置である。
【００２９】
図１に示すカウント手段１、表示位置決定手段２および表示制御手段３は、制御部１０に後述する機能を実現させるためのプログラムとして実現可能である。以下、「カウント手段１が行う」等の表現を用いるが、具体的には、制御部１０が、プログラムに従って処理を行う。
【００３０】
次に、図面を参照して本実施形態の動作について説明する。図３は、本実施形態の携帯端末装置の動作を示すフローチャートである。
【００３１】
まず、ユーザが初めてメニューを表示する場合、例えば、すべてのメニュー項目についてユーザ使用回数が０である場合について説明する。
【００３２】
ユーザは、携帯電話機１００の操作部３０を操作して、メニューの表示を指示する。例えば、ユーザは、表示部４０に待ち受け画面が表示されている場合に、操作部３０に含まれるメニューボタンを押下することにより、メニューの表示を指示する。
【００３３】
表示位置決定手段２は、操作部３０からメニューの表示指示が入力されると、表示を指示されたメニュー画面の画面情報を記憶部２０から抽出し、抽出した画面情報に含まれる「ユーザ使用回数」の値に基づいて、メニュー項目の表示位置を決定する処理を行う（ステップＳ１）。
【００３４】
「ユーザ使用回数」がすべてのメニュー項目について同数である場合、例えば、すべてのメニュー項目についてユーザ使用回数が０である場合、表示位置決定手段２は、例えば、記憶部２０において記憶されている順に表示されるようにメニュー項目の表示位置を決定する。
【００３５】
表示制御手段３は、表示位置決定手段２が決定したメニュー項目の表示位置を示す情報に基づいて、表示部４０にメニューを表示させる制御を行う（ステップＳ２）。メニュー画面が表示されると、ユーザは、操作部３０を操作して、いずれかのメニュー項目を選択する。
【００３６】
ユーザによってメニュー項目が選択されると、カウント手段１は、メニュー項目が選択された回数をカウントし（ステップＳ３）、一連の処理を終了する。具体的には、カウント手段１は、メニュー項目が選択されたことを検出すると、記憶部２０が記憶する値であって、選択されたメニュー項目に対応する「ユーザ使用回数」の値を１増加させる。
【００３７】
ユーザによってメニューの表示指示が入力されるたびに、携帯電話機１００は、図３に示す処理を実行し、選択されたメニュー項目に対応する「ユーザ使用回数」の値を更新する。以下、図３に示す処理を繰り返すことにより、記憶部２０が、画面情報として、図４（ａ）に示すメニュー項目とユーザ使用回数とを記憶している場合を例にして、本実施形態の動作を説明する。図４は、メニュー項目の表示位置を決定する処理の一例を示す説明図である。
【００３８】
ユーザによって操作部３０からメニューの表示指示が入力されると、表示位置決定手段２は、前述したように、表示を指示されたメニュー画面の画面情報を記憶部２０から抽出し、抽出した画面情報に含まれる「ユーザ使用回数」の値に基づいて、メニュー項目の表示位置を決定する処理を行う（ステップＳ１）。表示位置決定手段２は、ユーザ使用回数の値が小さくなるに従って、対応するメニュー項目を、画面の中央から両端部に向かって、一方の端部の側と他方の端部の側とに交互に配置する。
【００３９】
すなわち、表示位置決定手段２は、まず、「ユーザ使用回数」が最大であるメニュー項目を画面の中央に配置する。そして、「ユーザ使用回数」の値が小さくなるに従って、「ユーザ使用回数」が最大であるメニュー項目からの位置が遠くなるように、メニュー項目を、画面の中央から両端部に向かって、一方の端部の側（例えば、下側）と他方の端部の側（例えば、上側）とに交互に配置する。例えば、表示位置決定手段２は、「ユーザ使用回数」が大きいメニュー項目から順に、図４（ｂ）に示す並び替え順が示す位置に配置する。
【００４０】
例えば、９個のメニュー項目が上から順に並ぶ構成のメニュー画面について、記憶部２０が図４（ａ）に示すユーザ使用回数を記憶している場合、表示位置決定手段２は、「ユーザ使用回数」が最大であるメニュー項目、すなわち使用頻度の最も高いメニュー項目を上から５番目の位置に配置する。そして、２番目に使用頻度の高いメニュー項目を上から６番目に配置し、３番目に使用頻度の高いメニュー項目を上から４番目に配置し、同様に全てのメニュー項目を配置する。
【００４１】
すなわち、表示位置決定手段２は、図４（ｂ）に示すように、「ユーザ使用回数」が最大であるメニュー項目「データＢＯＸ」を画面の中央（並び替え順が１の位置）に配置する。そして、表示位置決定手段２は、次に「ユーザ使用回数」が多いメニュー項目「インターネット」および「ツール」を、それぞれ並び替え順が２の位置および３の位置に配置する。「ユーザ使用回数」が同数のメニュー項目については、表示位置決定手段２は、例えば、記憶部２０において記憶されている順に表示されるようにメニュー項目の表示位置を決定する。
【００４２】
表示制御手段３は、表示位置決定手段２が決定したメニュー項目の表示位置を示す情報に基づいて、表示部４０にメニューを表示させる制御を行う（ステップＳ２）。ここで、表示制御手段３は、「ユーザ使用回数」が最大であるメニュー項目にフォーカスを設定してメニューを表示させる。図４（ｂ）に示す例では、ユーザは、例えば、操作部３０に含まれるメニューボタンを押下してメニューの表示を指示し、決定ボタンを押下するだけで、「データＢＯＸ」の機能を実行することができる。
【００４３】
ユーザによってメニュー項目が選択されると、カウント手段１は、メニュー項目が選択された回数をカウントし（ステップＳ３）、一連の処理を終了する。
【００４４】
以上に説明したように、本実施形態によれば、使用頻度の高いメニュー項目だけでなく、使用頻度が高くないメニュー項目であっても、少ない操作で選択することができる。そのため、操作を容易にし、操作性の向上を図ることができる。
【００４５】
例えば、特許文献２に記載された方式では、使用頻度の高い順序で項目表示を行う。そのため、例えば使用頻度が最大のメニュー項目にフォーカスが設定されている場合、使用頻度が７番目であるメニュー項目を選択するためには、カーソルキー等を６回押下しなければならない。これに対して、本実施形態では、カーソルキー等を３回押下するだけで選択することができる。
【００４６】
また、本実施形態によれば、ユーザごとに異なるニーズに合ったメニュー画面を表示させることができる。
【００４７】
深い階層におけるメニュー画面では、一般に、ユーザがよく使うメニュー項目とあまり使わないメニュー項目との差が明確になりやすい。本実施形態は、深い階層におけるメニュー画面において特に有効である。
【００４８】
また、メニュー項目の並び替えによるユーザの混乱を防ぐため、「ユーザ使用回数」の値が含まれる数値範囲に応じて、メニュー項目の表示順序を決定してもよい。例えば、表示位置決定手段２は、ユーザ使用回数が０〜４の範囲にある場合は使用頻度のレベルを０とし、ユーザ使用回数が５〜９の範囲にある場合は使用頻度のレベルを１とする。そして、表示位置決定手段２は、使用頻度のレベルに基づいて、メニュー項目の表示位置を決定する。
【００４９】
なお、上記の実施形態では、メニュー画面を例にして説明したが、複数のメニュー項目を有する画面であれば、メニュー画面に限られず、例えば、アプリケーションにおけるツールバー等であってもよい。また、メニュー項目の配置は、縦方向、横方向のいずれであってもよい。
【００５０】
なお、上記に示した実施形態では、以下の（１）〜（５）に示すような特徴的構成を備えた携帯端末装置が示されている。
【００５１】
（１）複数のメニュー項目を有するメニューを表示する携帯端末装置であって、メニュー項目が選択された回数をカウントするカウント手段（例えば、カウント手段１および制御部１０で実現される）と、前記カウント手段がカウントした回数に基づいて、メニュー項目の表示位置を決定する表示位置決定手段（例えば、表示位置決定手段２および制御部１０で実現される）と、前記表示位置決定手段が決定したメニュー項目の表示位置を示す情報に基づいて、メニューを表示させる制御を実行する表示制御手段（例えば、表示制御手段３および制御部１０で実現される）とを備え、前記表示位置決定手段は、選択された回数が少なくなるに従って、対応するメニュー項目を、画面の中央から両端部に向かって、一方の端部の側と他方の端部の側とに交互に配置することを特徴とする携帯端末装置。
【００５２】
（２）表示制御手段は、選択された回数が最も高いメニュー項目にフォーカスを設定してメニューを表示させる携帯端末装置。そのように構成された携帯端末装置は、使用頻度の高いメニュー項目だけでなく、使用頻度が高くないメニュー項目をも容易に選択することができる。
【００５３】
（３）メニュー項目と当該メニュー項目が選択された回数を示す回数情報とを対応付けて記憶する記憶手段（例えば、記憶部２０で実現される）を備え、カウント手段は、メニュー項目が選択された場合に、前記記憶手段が記憶する選択されたメニュー項目に対応する回数情報を更新し、表示位置決定手段は、前記記憶手段が記憶する回数情報に基づいて、メニューを表示させる制御を実行する携帯端末装置。
【００５４】
（４）表示位置決定手段は、カウント手段がカウントした回数が含まれる範囲に応じて、メニュー項目の表示順序を決定する携帯端末装置。そのように構成された携帯端末装置は、メニュー項目の並び替えによるユーザの混乱を防ぐことができる。
【００５５】
（５）携帯端末装置は携帯電話機である携帯端末装置。
【産業上の利用可能性】
【００５６】
本発明は、メニューを表示する携帯端末装置に効果的に適用できる。
【図面の簡単な説明】
【００５７】
【図１】本発明による携帯端末装置の最小の構成例を示すブロック図である。
【図２】本発明による携帯端末装置の構成例を示すブロック図である。
【図３】本実施形態の携帯端末装置の動作を示すフローチャートである。
【図４】メニュー項目の表示位置を決定する処理の一例を示す説明図である。
【符号の説明】
【００５８】
１  カウント手段
２  表示位置決定手段
３  表示制御手段
【図１】
2009187089.tif 000003
【図２】
2009187089.tif 000004
【図３】
2009187089.tif 000005
【図４】
2009187089.tif 000006